(57)【特許請求の範囲】
【請求項１】
入隅壁を形成する左右壁面に左右仕上げ壁材を塗布して左右仕上げ壁材の交接部に仕上げ入隅角線を形成する際に用いられる角出し用埋め込み定規であって、該埋め込み定規に上記入隅壁の入隅角線と対向して延びる定規溝を具備せしめ、該定規溝を境にして上記左右仕上げ壁材を塗布し上記埋め込み定規を仕上げ壁材内へ埋設すると共に、定規溝上に上記仕上げ入隅角線を形成する構成としたことを特徴とする入隅壁の角出し用埋め込み定規。
【請求項２】
入隅壁を形成する左右壁面に左右仕上げ壁材を塗布して左右仕上げ壁材の交接部に仕上げ入隅角線を形成する際に用いられる角出し用埋め込み定規であって、上記左右仕上げ壁材内に斜めに埋設される左右傾斜埋め込み板を備え、上記左右傾斜埋め込み板が鈍角の開角を以って連設され、該開角側の角線に沿って延在し且つ開口する定規溝を有し、該定規溝を境にして上記左右仕上げ壁材を塗布し上記埋め込み定規を仕上げ壁材内へ埋設すると共に、定規溝上に上記仕上げ入隅角線を形成する構成としたことを特徴とする入隅壁の角出し用埋め込み定規。
【請求項３】
上記定規溝を弧形溝としたことを特徴とする請求項１又は２記載の入隅壁の角出し用埋め込み定規。
【請求項４】
上記左右傾斜埋め込み板の連設部に該左右傾斜埋め込み板の背面に配在した仕上げ壁材内に埋設されて左右傾斜埋め込み板を定着するための結合リブ又は結合板を設けたことを特徴とする請求項１又２記載の入隅壁の角出し用埋め込み定規。
【発明の詳細な説明】
【技術分野】
【０００１】
本発明は建造物の入隅壁を形成する左右壁面に左右仕上げ壁材を塗布して左右仕上げ壁材の交接部に仕上げ入隅角線を形成する際に用いられる角出し用埋め込み定規に関する。
【背景技術】
【０００２】
上記入隅壁の角出し用埋め込み定規としては様々な形態のものが提供されているが、何れも板状に突設した角出し定規部の一部が仕上げ壁材の塗布によって形成された仕上げ入隅角線に沿って露出し、外観を損なう問題を有している。
【０００３】
例えば、角出し用埋め込み定規における角出し定規部の先端面が仕上げ壁材の塗布によって形成された仕上げ入隅角線に沿って露出し、仕上がり外観を損なうばかりか、該露出線に沿って仕上げ壁材の剥離が生ずる問題等を有している。
【０００４】
従来は左官職人が上記定規部の先端面を薄く覆うように仕上げ壁材のペースト状ノロを掻き上げる技法を駆使して上記露出を防止せんとしていたが、仕上げ壁材中の粒子が定規先端面と鏝間に噛み込み、美麗な仕上がりが困難であるばかりか、定規部の先端面を薄く覆う仕上げ壁材が経年剥落等して露出する現象を防止し難く、有効な解決手段とはなっていない。
【発明の開示】
【発明が解決しようとする課題】
【０００５】
本発明は埋め込み定規を用いて入隅壁に仕上げ壁材を塗布し角仕上げを行う場合に、不可避とされていた上記仕上げ入隅角線に沿って埋め込み定規の一部が露出し視覚される事象を解消して、同入隅角線の仕上げ外観を改善する入隅壁の角出し用埋め込み定規を提供するものである。
【課題を解決するための手段】
【０００６】
本発明は入隅壁を形成する左右壁面に左右仕上げ壁材を塗布して左右仕上げ壁材の交接部に仕上げ入隅角線を形成する際に用いられる角出し用埋め込み定規であって、該埋め込み定規に入隅壁の入隅角線と対向して延びる定規溝を具備せしめ、該定規溝を境にして上記左右仕上げ壁材を塗布し上記埋め込み定規を仕上げ壁材内へ埋設すると共に、定規溝上に上記仕上げ入隅角線を形成する構成とした入隅壁の角出し用埋め込み定規を提供するものである。
【０００７】
又本発明は上記左右仕上げ壁材内に斜めに埋設される左右傾斜埋め込み板を備え、上記左右傾斜埋め込み板が鈍角の開角を以って連設され、該開角側の角線に沿って延在し且つ開口する定規溝を有し、該定規溝を境にして上記左右仕上げ壁材を塗布し上記埋め込み定規を仕上げ壁材内へ埋設すると共に、定規溝上に上記仕上げ入隅角線を形成する構成とした入隅壁の角出し用埋め込み定規を提供するものである。
【０００８】
上記定規溝は弧形溝とする。又は角形溝、蟻形溝とすることができる。
【０００９】
上記左右傾斜埋め込み板の連設部には、該左右傾斜埋め込み板の背面に配在した仕上げ壁材内に埋設されて左右傾斜埋め込み板を入隅壁に定着するための結合リブ又は結合板を設ける。
【発明の効果】
【００１０】
本発明によれば、上記の通り、定規溝上において左右仕上げ壁材が交接し、同定規溝上に仕上げ入隅角線を形成する。これにより従来不可避とされていた上記仕上げ入隅角線に沿って埋め込み定規の一部が露出し視覚される事象を有効に解消し、同入隅角線の仕上がり外観の改善に資することができる。
【００１１】
又定規溝を境界線として左右仕上げ壁材の塗布作業が行えるので、一方の仕上げ壁材の固化を待たずに他方の仕上げ壁材の塗布を行え、作業の能率化を図ることができる。
【発明を実施するための最良の形態】
【００１２】
以下発明を実施するための最良の形態を図１乃至図７に基づいて説明する。前記のように、本発明は入隅壁を形成する左右壁面１，２に左右仕上げ壁材３，４を塗布して左右仕上げ壁材３，４の交接部５に仕上げ入隅角線８を形成する際に用いられる角出し用埋め込み定規に係る。
【００１３】
図１乃至図５に示すように、上記埋め込み定規に入隅壁の入隅角線６と対向して延びる定規溝７を具備せしめ、該定規溝７を境にして上記左右仕上げ壁材３，４を塗布し上記埋め込み定規を仕上げ壁材３，４内へ埋設すると共に、定規溝７上に上記仕上げ入隅角線８を形成する構成とした入隅壁の角出し用埋め込み定規を提供するものである。
【００１４】
図１、図２（第１実施形態）と、図３（第２実施形態）と、図４（第３実施形態）に示すように、上記埋め込み定規は上記左右仕上げ壁材３，４内に斜めに埋設される左右傾斜埋め込み板９，１０を備え、上記左右傾斜埋め込み板９，１０を鈍角の開角を以って連設し、該開角側の角線に沿って上記定規溝７を延在し且つ開口せしめる。この開角α１は略１３５度である。
【００１５】
上記定規溝７を境にして上記左右仕上げ壁材３，４を塗布し上記埋め込み定規を仕上げ壁材３，４内へ埋設すると共に、定規溝７上に上記仕上げ入隅角線８を形成する。
【００１６】
再述すると図１、図２（第１実施形態）に示す埋め込み定規と、図３（第２実施形態）に示す埋め込み定規と、図４（第３実施形態）に示す埋め込み定規は、入隅壁を形成する左壁面１に塗布される左仕上げ壁材３内に斜めに埋設される左傾斜埋め込み板９と、同右壁面２に塗布される右仕上げ壁材４内に斜めに埋設される右傾斜埋め込み板１０とを備え、上記左傾斜埋め込み板９と右傾斜埋め込み板１０が鈍角の開角を以って連設され、該連設角部における鈍角の開角側の角線に沿って延び該角線に沿って開口する鏝尻１１又は鏝先１２を受容する定規溝７を有し、該定規溝７の開口縁の左角線１３にて上記鏝尻１１又は鏝先１２を当接する左鏝当たり線、即ち定規線を形成し、該定規溝７の開口縁の右角線１４にて上記鏝尻１１又は鏝先１２を当接する右鏝当たり線、即ち定規線を形成する。
【００１７】
図５Ａに示すように、先ず鏝尻１１又は鏝先１２を上記左角線１３、即ち左鏝当たり線に当接しつつ、上記定規溝７に沿って直線移動することにより上記左仕上げ壁材３の角仕上げを行い、次に図５Ｂに示すように、鏝尻１１又は鏝先１２を上記右角線１４、即ち右鏝当たり線に当接しつつ、上記定規溝７に沿って直線移動することにより上記右仕上げ壁材４の角仕上げを行う。
【００１８】
上記の通り、定規溝７を境にして上記左右仕上げ壁材３，４を塗布し上記埋め込み定規を仕上げ壁材３，４内へ埋設すると共に、定規溝７上に上記仕上げ入隅角線８を形成する。
【００１９】
定規溝７を境界線として左右仕上げ壁材３，４の塗布作業が行えるので、一方の仕上げ壁材３の固化を待たずに他方の仕上げ壁材４を塗布でき、作業の能率化を図ることができる。
【００２０】
即ち鏝先１２で角部の均し作業を行う時に、該鏝先１２が一方の仕上げ壁材に干渉しないので、一方が湿潤状態において他方の仕上げ壁材の塗布作業が行える。
【００２１】
又定規溝７開口縁の左角線１３と右角線１４を基準に左仕上げ壁材３と右仕上げ壁材４の塗布厚を均一にし、且つ左右仕上げ壁材３，４の表面に段差を形成せず、美麗な角仕上げが可能である。
【００２２】
仕上げ壁材３，４の一部は上記鏝均し時に上記定規溝７内に充填する。３′，４′は該定規溝７内に充填された壁材を示す。この場合上記定規溝７内の壁材３′，４′を同溝７内に強固に保持させる手段として、定規溝７内又は定規溝７内とその開口沿面に起毛層を設ける。
【００２３】
上記起毛層は接着剤層に繊維材を植毛して形成する。具体例として上記埋込定規を押出成形後、該埋込定規の定規溝７内面とその開口沿面に接着剤を塗布し接着剤層を形成し、上記植毛を行い、起毛層を形成する。
【００２４】
この起毛層はモルタル等の壁材３′，４′を良好に吸着し、アンカー効果を発揮して定規溝７内に壁材３′、４′を強固に保持する。
【００２５】
上記接着剤層に繊維材を帯電植毛法等を用い高密度に植毛して起毛層を形成する。即ち繊維材を負（又は正）の電荷に帯電し、埋込定規本体を正（又は負）の電荷に帯電し、繊維材を接着剤層に向け吸着し植毛する。
【００２６】
上記植毛用の繊維材としては、レーヨン、綿、ナイロン、ポリエステル、アクリル等の合成樹脂繊維、有機質繊維、これらの合成繊維を用い、使用する仕上げ壁材の種類等に応じ、繊維長０．３ｍｍから５ｍｍの範囲、太さ１．０〜２０デニールの範囲で適宜選択する。
【００２７】
又は上記起毛層に代え、上記定規溝７内面とその開口沿面に粉粒体層を設ける。この粉粒体層は接着剤層に粉体又は粒体をまぶし付けして形成する。具体例として上記埋込定規を押出成形後、該埋込定規の定規溝７内又はその開口沿面に接着剤を塗布して接着剤層を形成し、該接着剤層に粉体又は粒体を吹き付け等にて散布する。又は帯電塗装法等を用い高密度に付着して粉粒体層を形成する。
【００２８】
上記粉体又は粒体としては、炭酸カルシウム、クレー、ベントナイト、珪藻土、焼成ゼオライト、シリカ、焼成蛭石等の鉱物質粉粒体を用いることができる。
【００２９】
又は同定規溝７内に壁材３′，４′を充填せずに、定規溝７の溝腔をそのまま残存せしめる。何れの場合にも、該仕上げ入隅角線８は図５に明示するように、実質的に入隅角線６と対向して延在する定規溝７の開口面によって画成される。
【００３０】
上記定規溝７の左右方向の幅は１〜３ｍｍ程度の、線状に視覚し得る細い溝幅に設定する。
【００３１】
上記左角線（左鏝当たり線）１３と右角線（右鏝当たり線）１４に当接して鏝を移動する際、仕上げ壁材３，４内の粒子は鏝圧によって上記定規溝７内へ入り込み、鏝捌き、即ち鏝均しがスムーズに行え、角仕上げが適切に実行できる。
【００３２】
図１、図２に示す実施態様においては、上記左右傾斜埋め込み板９，１０を等幅にして左右対称に連設し、該連設角線、即ち鈍角の開角側の角線（内角線）に沿って上記定規溝７を延在せしめた入隅壁の角出し用埋め込み定規を示している。
【００３３】
又この埋め込み定規においては、上記構成に加え、上記左右傾斜埋め込み板９，１０の連設部には、該左右傾斜埋め込み板９，１０の背面に配在した定着用壁材２２内又はその他の接着剤に埋設されて左右傾斜埋め込み板９，１０を入隅壁に定着するための中央結合リブ１５を突設している。この結合リブ１５は適例として蟻形の結合リブとし、食い付き効果を向上する。
【００３４】
又上記左右傾斜埋め込み板９，１０の遊離端に、背面側へ突出する端部結合リブ１６、適例として蟻形結合リブを突設し、上記定規背面に配在した定着用壁材２２又はその他の接着剤に食い付かせ、結合する。
【００３５】
先ず図２Ａに示すように、上記埋め込み定規の背面、即ち左右傾斜埋め込み板９，１０の背面に定着用壁材２２、例えば仕上げ壁材３，４と同じ壁材を団子状に付着せしめる等して入隅壁の左右壁面１，２に押し付け、団子状の定着用壁材２２を加圧延伸しつつ埋め込み定規を入隅壁の左右壁面１，２に定着する。
【００３６】
上記の通り、蟻形結合リブ１５，１６間には蟻溝１７が形成され、該蟻溝１７内に定着用壁材２２が適切に保持され、上記押し付けによって該定着用壁材２２内に同リブ１５，１６が強固に食い付く。
【００３７】
次に図２Ｂに示すように、鏝尻１１又は鏝先１２を上記定規溝７の左角線１３、即ち左鏝当たり線に当接しつつ上記定規溝７内に受容し、該定規溝７に沿って直線移動することにより上記左仕上げ壁材３の角仕上げを行い、次に図２Ｃに示すように、鏝尻１１又は鏝先１２を上記右角線１４、即ち右鏝当たり線に当接しつつ上記定規溝７内に受容し、該定規溝７に沿って直線移動することにより上記右仕上げ壁材４の角仕上げを行う。よって上記定規溝７は鏝先１１又は鏝尻１２の逃げ溝を形成している。
【００３８】
上記定規溝７を基準にした、即ち定規溝７を境にした上記左右仕上げ壁材３，４を塗布によって、上記埋め込み定規を仕上げ壁材３，４内へ埋設すると共に、定規溝７上に上記仕上げ入隅角線８を形成する。
【００３９】
前記のように、仕上げ壁材３，４の一部は上記鏝均し時に上記定規溝７内に充填される。又は同定規溝７内に仕上げ壁材３′，４′を充填せずに、定規溝７の溝腔をそのまま残存せしめる。何れの場合にも、該仕上げ入隅角線８は図５に明示するように、実質的に入隅角線６と対向して延在する定規溝７の開口面によって画成される。
【００４０】
上記定規溝７の開口縁の左角線１３と右角線１４は左鏝当たり線と右鏝当たり線を形成し、該左鏝当たり線１３に鏝尻１１又は鏝先１２を当接する際、鏝尻１１又は鏝先１２の肉厚面を対向する右角線１４で形成する右鏝当たり線１４に当接し、二点当たりにして上記直線移動を安定にする。
【００４１】
同様に、右鏝当たり線１４に鏝尻１１又は鏝先１２を当接する際、鏝尻１１又は鏝先１２の肉厚面を対向する左角線１３で形成する右鏝当たり線に当接し、二点当たりにして上記直線移動を安定にする。
【００４２】
前記の通り、溝幅は１〜３ｍｍ程度の細幅溝であり、これに対し通常使用される鏝の厚みは１ｍｍ程度である。
【００４３】
よって鏝先１２又は鏝尻１１を上記定規溝７内に受容しつつ、上記左角線１３と右角線１４に二点当たりせしめる。
【００４４】
次に図３に示す入隅壁の角出し用埋め込み定規の実施態様においては、上記左傾斜埋め込み板９と右傾斜埋め込み板１０を略１３５度の開角を以って連設しつつ、この連設角線（内角線）に沿って上記定規溝７を形成する構成を与えながら、上記右傾斜埋め込み板１０の幅を左傾斜埋め込み板９の幅より充分に狭幅にし、更に上記左右傾斜埋め込み板９，１０の連設部には、該左右傾斜埋め込み板９，１０の背面に配在した定着用壁材２２内に埋設されて左右傾斜埋め込み板９，１０を入隅壁に定着するための中央結合板１８を突設している。
【００４５】
前記と同様、上記埋め込み定規においても定着用壁材２２を以って入隅壁の角部に定着した後、上記定規溝７を境に仕上げ用壁材３，４を塗布する。この場合にも、図２Ｂ、図２Ｃで説明した工程に従い片面仕上げを行った後、他方の片面仕上げを行う。
【００４６】
上記広幅の左傾斜埋め込み板９と結合板１８の開角α２は略９０度の角度に設定する。よってこの埋め込み定規は図７に示すように、左傾斜埋め込み板９と結合板１８を出隅壁の左右壁面１９，２０に定着し、該定着により上記狭幅の右傾斜埋め込み板１０を出隅壁の角線より前方へ突出せしめ、該突出した埋め込み板１０の先端面を基準にして左右仕上げ壁材３，４を塗布する。
【００４７】
即ち上記図３に示した埋め込み定規は入隅壁用と出隅壁用に兼用可能な構成を有する。
【００４８】
次に図４Ａ，Ｂに示す入隅壁の角出し用埋め込み定規の実施態様においては、上記左右傾斜埋め込み板９，１０を等幅にして左右対称に連設し、該連設角線、即ち鈍角の開角側の角線（内角線）に沿って上記定規溝７を延在せしめた入隅壁の角出し用埋め込み定規を示している。
【００４９】
又上記左右傾斜埋め込み板９，１０の連設部には、該左右傾斜埋め込み板９，１０の背面に配在した定着用壁材２２内に埋設されて左右傾斜埋め込み板９，１０を入隅壁に定着するための中央結合板１８を突設し、更に該結合板１８の端部から入隅壁の一方の壁面に定着される据え付け板２１を略９０度の角度を以って連設した構造にしている。
【００５０】
前記と同様、上記埋め込み定規においても据え付け板２１の背面に定着用壁材２２を介在して入隅壁の角部に定着した後、上記定規溝７を境に仕上げ用壁材３，４を塗布する。この場合にも、図２Ｂ、図２Ｃで説明した工程に従い片面仕上げを行った後、他方の片面仕上げを行う。
【００５１】
上記埋め込み定規は据え付け板２１によって定規部、即ち左右傾斜埋め込み板９，１０と定規溝７の配置位置を適切に調整し設定できる。
【００５２】
上記各実施態様において説明した定規溝７は、左右方向の断面形状が弧形を呈する弧形溝とする。又は図６Ａに示すように、左右方向の断面形状が方形等の角形を呈する角形溝とする。又は図６Ｂに示すように、左右方向の断面形状が蟻形を呈する蟻形溝とし、定規溝７内に仕上げ壁材３，４を充填する場合に同壁材３，４を安定に保持せしめる。又は上記定規溝７の左右方向の断面形状をＶ形溝にすることができる。
【００５３】
上記定規溝７を弧形溝とした場合、鏝均し作業中に鏝の端末が仮に定規溝７の内底面に当接しても、滑りが良好に得られ、鏝均し作業（角出し作業）がより適切に実行できる。
【００５４】
上記仕上げ壁材３，４としては、モルタル、珪藻土、漆喰等の壁材の適用が可能である。
【図面の簡単な説明】
【００５５】
【図１】入隅壁の角出し用埋め込み定規の第１実施態様を示す斜視図。
【図２】Ａ、Ｂ、Ｃは上記埋め込み定規を用いた施工工程を工程順に示す断面図。
【図３】Ａは入隅壁の角出し用埋め込み定規の第２実施態様を示す斜視図、Ｂは施工状態を示す断面図。
【図４】Ａは入隅壁の角出し用埋め込み定規の第３実施態様を示す斜視図、Ｂは施工状態を示す断面図。
【図５】Ａは上記各実施態様において左仕上げ壁材の塗布時における定規溝と鏝均しの関係を示す拡大断面図、Ｂは上記各実施態様において右仕上げ壁材の塗布時における定規溝と鏝均しの関係を示す拡大断面図。
【図６】Ａは定規溝の他例を示す断面図、Ｂは更に他例を示す断面図。
【図７】上記図３に示す入隅壁の角出し用埋め込み定規を出隅壁の角出し用埋め込み定規として兼用する構成を説明する断面図。
【符号の説明】
【００５６】
１…左壁面、２…右壁面、３…左仕上げ壁材、３′…定規溝内の壁材、４…右仕上げ壁材、４′…定規溝内の壁材、５…交接部、６…入隅角線、７…定規溝、８…仕上げ入隅角線、９…左傾斜埋め込み板、１０…右傾斜埋め込み板、１１…鏝尻、１２…鏝先、１３…左角線、１４…右角線、１５…中央結合リブ、１６…端部結合リブ、１７…蟻溝、１８…中央結合板、１９…左壁面、２０…右壁面、２１…据え付け板、２２…定着用壁材
【図１】
0004504881.tif 000002
【図２】
0004504881.tif 000003
【図３】
0004504881.tif 000004
【図４】
0004504881.tif 000005
【図５】
0004504881.tif 000006
【図６】
0004504881.tif 000007
【図７】
0004504881.tif 000008